(57)【特許請求の範囲】
【請求項１】
鍋を載置するトッププレートと、前記トッププレートの下方に設けられ、前記鍋を誘導加熱する加熱コイルと、前記加熱コイルに高周波電流を供給するインバータと、前記インバータの出力を制御する制御手段と、前記インバータの出力を設定する操作部と、を備え、前記制御手段には、少なくとも１つの設定火力につき連続的または周期的に繰り返す２つ以上の加熱出力パターンを有し、前記操作部からの入力情報に応じた加熱出力パターンを選択し出力するとともに、
加熱中に、前記操作部により複数の前記加熱出力パターンから選択されると、前記制御手段は、選択された前記加熱出力パターンに変更して出力する誘導加熱調理器。
【請求項２】
前記制御手段は、前記加熱出力パターンのうちの１つを所定火力Ｐ１を連続的に出力する請求項１に記載の誘導加熱調理器。
【請求項３】
前記制御手段は、前記加熱出力パターンのうちの１つを所定時間Ｔ１の間前記インバータの出力をＰ２とし、所定時間Ｔ２の間前記インバータの出力をオフとし、それを周期的に繰り返す請求項１または２に記載の誘導加熱調理器。
【請求項４】
前記制御手段は、前記加熱出力パターンのうちの１つを所定時間Ｔ３の間前記インバータの出力をＰ３とし、所定時間Ｔ４の間前記インバータの出力をＰ３と異なるＰ４とし、それを周期的に繰り返す請求項１〜３のいずれか１項に記載の誘導加熱調理器。
【請求項５】
前記制御手段は、同一の設定火力においては、前記加熱出力パターンの種類に関わらず、前記インバータの平均出力を同じにする請求項１〜４のいずれか１項に記載の誘導加熱調理器。
【発明の詳細な説明】
【技術分野】
【０００１】
本発明は、誘導加熱調理機器に関するものである。
【背景技術】
【０００２】
従来、この種の誘導加熱調理器は、低火力でむらなく焦げ付かせずに煮込み調理を行うために、所定時間ごとに高火力を入れて短時間沸騰させ、鍋内の対流を喚起して煮込み材料を攪拌するものがあった（例えば、特許文献１参照）。
【先行技術文献】
【特許文献】
【０００３】
【特許文献１】特許第３１０９１８０号公報
【発明の概要】
【発明が解決しようとする課題】
【０００４】
しかしながら、前記従来の構成では、調理の種類によっては低火力で調理する場合に攪拌作用を必要としないものもあり、所定時間高火力が入ることによって出来映えを損なうという課題があった。
【課題を解決するための手段】
【０００５】
前記従来の課題を解決するために、本発明の誘導加熱調理器は、鍋を載置するトッププレートと、前記トッププレートの下方に設けられ、前記鍋を誘導加熱する加熱コイルと、前記加熱コイルに高周波電流を供給するインバータと、前記インバータの出力を制御する制御手段と、前記インバータの出力を設定する操作部と、を備え、前記制御手段には、少なくとも１つの設定火力につき、連続的または周期的に繰り返す２つ以上の加熱出力パターンを有し、操作部からの入力情報に応じた加熱出力パターンを選択し出力するとともに、加熱中に、前記操作部により複数の前記加熱出力パターンから選択されると、前記制御手段は、選択された前記加熱出力パターンに変更して出力する構成としたものである。
【発明の効果】
【０００６】
本発明の誘導加熱調理器は、少なくとも１つの設定火力につき、連続的または周期的に繰り返す２つ以上の加熱出力パターンを有し、調理メニューや仕上がりの好みに応じた加熱出力を選択できる仕様にすることにより、最適な出来映えを実現することができる。また、加熱出力をオフにすることなく、調理工程や出来上がりの好みに応じて加熱パターンを変更することができ、より使い勝手が良く、好ましい出来映えの調理を行うことができる。
【図面の簡単な説明】
【０００７】
【図１】本発明の実施の形態１〜６における誘導加熱調理器の概略構成図
【図２】本発明の実施の形態１〜６における誘導加熱調理器の操作部の構成図
【図３】本発明の実施の形態１〜４および６における誘導加熱調理器の加熱出力パターン図
【図４】本発明の実施の形態１、３、４、６における誘導加熱調理器の加熱出力パターン図
【図５】本発明の実施の形態１および４における誘導加熱調理器の加熱出力パターン図
【図６】本発明の実施の形態５における誘導加熱調理器の加熱出力パターン図
【発明を実施するための形態】
【０００８】
第１の発明は、鍋を載置するトッププレートと、前記トッププレートの下方に設けられ、前記鍋を誘導加熱する加熱コイルと、前記加熱コイルに高周波電流を供給するインバー
タと、前記インバータの出力を制御する制御手段と、前記インバータの出力を設定する操作部を備え、前記制御手段には、少なくとも１つの設定火力につき連続的または周期的に繰り返す２つ以上の加熱出力パターンを有し、前記操作部からの入力情報に応じた加熱出力パターンを選択し出力するとともに、加熱中に、前記操作部により複数の前記加熱出力パターンから選択されると、前記制御手段は、選択された前記加熱出力パターンに変更して出力する誘導加熱調理器としたものであり、これにより使用者は調理メニューや仕上がりの好みに応じた加熱出力パターン選択することができ、最適な出来映えに
なるよう調理を行うことができる。また、加熱出力をオフにすることなく、調理工程や出来上がりの好みに応じて加熱パターンを変更することができ、より使い勝手が良く、好ましい出来映えの調理を行うことができる。
【０００９】
第２の発明は、特に、第１の発明において、前記制御手段は、前記加熱出力パターンのうちの１つを所定火力Ｐ１を連続的に出力する誘導加熱調理器としたものであり、これにより焼き物、炒め物など、連続的に一定の火力が入った方が出来映えが好ましい調理においては、この加熱出力パターンを選択することにより、好ましい出来映えの調理を行うことができる。
【００１０】
第３の発明は、特に、第１または第２の発明において、前記制御手段は、前記加熱出力パターンのうちの１つを所定時間Ｔ１の間インバータの出力をＰ２とし、所定時間Ｔ２の間前記インバータの出力をオフとし、それを周期的に繰り返す誘導加熱調理器としたものであり、これにより一定火力では鍋内に対流が起こりにくく、底面が焦げ付きやすい煮込み調理など、Ｐ２とオフとを繰り返すことで対流が起こりやすくなり、焦げ付きにくく味付けにムラのない好ましい出来映えの調理を行うことができる。
【００１１】
第４の発明は、特に、第１〜３のいずれか１つの発明において、前記制御手段は、加熱出力パターンのうちの１つを所定時間Ｔ３の間前記インバータの出力をＰ３とし、所定時間Ｔ４の間前記インバータの出力をＰ３と異なるＰ４とし、それを周期的に繰り返す誘導加熱調理器としたものであり、これにより、一定火力では鍋内に対流が起こりにくいが、オンとオフの繰り返しでは対流が起こりすぎて不具合のある加熱調理など、Ｐ３とＰ３と異なるＰ４とを繰り返すことで鍋内に程良い対流が起こり、好ましい出来映えの調理を行うことができる。
【００１３】
第５の発明は、特に、第１〜４のいずれか１つの発明において、前記制御手段は、同一の設定火力においては、前記加熱出力パターンの種類に関わらず、前記インバータの平均出力を同じにする誘導加熱調理器としたものであり、これにより、使用者にとって設定火力ごとの出来映えがイメージしやすいというメリットがあるだけでなく、加熱出力パターンを選択し間違えた場合でも、出来映えを大きく損なうことがなく、安心して調理をすることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における誘導加熱調理器の概略構成図を示すものである。
【００１６】
図１において、鍋１、鍋を載置するトッププレート２、鍋を誘導加熱する加熱コイル３、加熱コイルに高周波電流を供給するインバータ４、インバータの出力を制御する制御手段５、インバータの出力を設定する操作部６で構成している。
【００１７】
以上のように構成された誘導加熱調理機器について、図２〜５を参照しながら動作、作用を説明する。図２は本発明の第１の実施の形態における誘導加熱調理器の操作部６の構成図であり、図３〜５は本発明の第１の実施の形態における誘導加熱調理器の加熱出力パターン図である。
【００１８】
まず、使用者が被調理物を入れた鍋１をトッププレート２に載置し、操作部６で設定火力および２つ以上の加熱出力パターンのうちの１つのパターンを選択すると、制御手段５の命令によってインバータ４から加熱コイル３に高周波電流が供給され、設定された火力および加熱出力パターンで加熱を行う。
【００１９】
例えば、１つの設定火力につき３つの加熱出力パターンを有する場合、図２に示すように、操作部６において、加熱・揚げ物・湯沸し・炊飯などを含むメニューキー６ａから加熱モードを選択し、スタートキー６ｂで加熱を開始したのち、火力選択キー６ｃで任意の火力を選択すると、自動的に図３に示すような所定火力Ｐ１を連続的に出力する加熱出力パターンが出力される。
【００２０】
加熱出力パターン選択キー６ｄでキー１１、キー１２、キー１３のうちのキー１２を選択すると、図４に示すような所定時間Ｔ１の間インバータの出力をＰ２とし、所定時間Ｔ２の間インバータの出力をオフとし、それを周期的に繰り返す加熱出力パターンを出力し、キー１３を選択すると、図５に示すような所定時間Ｔ３の間インバータの出力をＰ３とし、所定時間Ｔ４の間インバータの出力をＰ４とし、それを周期的に繰り返す加熱出力パターンを出力し、キー１１を選択すると図３に示す最初の加熱出力パターンを出力する。
【００２１】
なお、図２では加熱出力パターン選択キー６ｄをキー１１、キー１２、キー１３の３つ設けるパターンを示したが、このように複数のキーを配置するスペースが確保できない場合は、加熱出力パターン選択キー６ｄを１つだけ設け、キーを押すごとに異なる加熱出力パターンが順に切り替わる構成にするなど、操作部６の形態はこの限りではない。
【００２２】
以上のように、本実施の形態においては、少なくとも１つの設定火力につき連続的または周期的に繰り返す２つ以上の加熱出力パターンを有し、操作部からの入力情報に応じた加熱出力パターンを選択し出力する構成とすることで、調理メニューや使用者の好みに応じて適切な加熱出力パターンを選択して調理することが出来る。
【００２３】
（実施の形態２）
図１は、本発明の第２の実施の形態における誘導加熱調理器の概略構成図を示すものであり、構成は実施の形態１と同じである。
【００２４】
以上のように構成された誘導加熱調理機器について、図２および図３を参照しながら動作、作用を説明する。図２は本発明の第２の実施の形態における操作部６の構成図であり、図３は本発明の第２の実施の形態における誘導加熱調理器の加熱出力パターン図である。
【００２５】
まず、使用者が被調理物を入れた鍋１をトッププレート２に載置し、操作部６で設定火力および２つ以上の加熱出力パターンのうちの１つのパターンを選択すると、制御手段５の命令によってインバータ４から加熱コイル３に高周波電流が供給され、設定された火力および加熱出力パターンで加熱を行う。
【００２６】
例えば、ホットケーキやお好み焼きなどの焼き物調理の場合、表面に程よい焼き色を付け、ふっくらとした仕上がりにするためには、安定した一定火力が好ましい。また、炒め物調理や茹で調理などの場合も安定した一定火力で調理をすることが好ましい。
【００２７】
これらの調理を行う場合、図２に示す操作部６でメニューキー６ａから加熱モードを選択し、スタートキー６ｂで加熱を開始したのち、火力選択キー６ｃで任意の火力を選択し、加熱出力パターン選択キー６ｄで図３に示すような所定火力Ｐ１を連続的に出力する加熱出力パターンを選択して調理を行うことで、最適な出来映えに仕上げることができる。
【００２８】
以上のように、本実施の形態においては、加熱出力パターンのうちの１つを所定火力Ｐ１を連続的に出力する構成とすることで、焼き物や炒め物、茹で物など、安定した一定火力が必要な調理において、最適な出来映えに仕上げることができる。
【００２９】
（実施の形態３）
図１は、本発明の第３の実施の形態における誘導加熱調理器の概略構成図を示すものであり、構成は実施の形態１〜２と同じである。
【００３０】
以上のように構成された誘導加熱調理機器について、図２〜４を参照しながら動作、作用を説明する。図２は本発明の第３の実施の形態における誘導加熱調理器の操作部６の構成図であり、図３〜４は本発明の第３の実施の形態における誘導加熱調理器の加熱出力パターン図である。
【００３１】
まず、使用者が被調理物を入れた鍋１をトッププレート２に載置し、操作部６で設定火力および２つ以上の加熱出力パターンのうちの１つのパターンを選択すると、制御手段５の命令によってインバータ４から加熱コイル３に高周波電流が供給され、設定された火力および加熱出力パターンで加熱を行う。
【００３２】
例えば、カレーやシチューの温め直しなど、とろみが強く底面が焦げ付きやすい調理や、肉じゃがや、おでんなど、具材が多く、ムラなく味が染み込みにくいメニューにおいては、図２に示す操作部６でメニューキー６ａから加熱モードを選択し、スタートキー６ｂで加熱を開始したのち、火力選択キー６ｃで任意の火力を選択し、加熱出力パターン選択キー６ｄで図４に示すような所定時間Ｔ１の間インバータの出力をＰ２とし、所定時間Ｔ２の間インバータの出力をオフとし、それを周期的に繰り返す加熱出力パターンを選択して調理を行うことで鍋内に対流が起こり、焦げ付きにくく味付けにムラのない好ましい出来映えの調理を行うことができる。
【００３３】
以上のように、本実施の形態においては、加熱出力パターンのうちの１つを所定時間Ｔ１の間インバータの出力をＰ２とし、所定時間Ｔ２の間インバータの出力をオフとし、それを周期的に繰り返す加熱出力パターンとすることにより、煮込み調理など、図３に示すような一定火力では鍋内に対流が起こりにくく、焦げ付きやすく、味付けにムラができやすい調理において、最適な出来映えに仕上げることができる。
【００３４】
（実施の形態４）
図１は、本発明の第４の実施の形態における誘導加熱調理器の概略構成図を示すものであり、構成は実施の形態１〜３と同じである。
【００３５】
以上のように構成された誘導加熱調理機器について、図２〜５を参照しながら動作、作用を説明する。図２は本発明の第４の実施の形態における誘導加熱調理器の操作部６の構成図であり、図３〜５は本発明の第４の実施の形態における誘導加熱調理器の加熱出力パターン図である。
【００３６】
まず、使用者が被調理物を入れた鍋１をトッププレート２に載置し、操作部６で設定火力および２つ以上の加熱出力パターンのうちの１つのパターンを選択すると、制御手段５の命令によってインバータ４から加熱コイル３に高周波電流が供給され、設定された火力および加熱出力パターンで加熱を行う。
【００３７】
例えば、具材やとろみの少ないスープや味噌汁の温め直しなど、一定火力では吹きこぼ
れる可能性があるが、火力の高低差が大きすぎると高火力のときに突沸が起こる可能性がある調理の場合、図２に示す操作部６でメニューキー６ａから加熱モードを選択し、スタートキー６ｂで加熱を開始したのち、火力選択キー６ｃで任意の火力を選択し、加熱出力パターン選択キー６ｄで図５に示すような、所定時間Ｔ３の間インバータの出力をＰ３とし、所定時間Ｔ４の間インバータの出力をＰ３と異なるＰ４とし、それを周期的に繰り返す加熱出力パターンを選択し調理を行うことで鍋内に程良い対流が起こり、温めムラのない好ましい出来映えの調理を行うことができる。
【００３８】
以上のように、本実施の形態においては、加熱出力パターンのうちの１つを所定時間Ｔ３の間インバータの出力をＰ３とし、所定時間Ｔ４の間インバータの出力をＰ３と異なるＰ４とし、それを周期的に繰り返す加熱出力パターンとすることによって、具材やとろみの少ないスープや味噌汁の温め直しなど、図３に示すような一定火力では鍋内に対流が起こりにくいが、図４に示すようなＰ２とオフとの繰り返しでは突沸が起こる可能性がある調理の場合、Ｐ３とＰ３と異なるＰ４とを周期的に繰り返すことで鍋内に程良い対流が起こり、好ましい出来映えの調理を行うことができる。
【００３９】
（実施の形態５）
図１は、本発明の第５の実施の形態における誘導加熱調理器の概略構成図を示すものであり、構成は実施の形態１〜４と同じである。
【００４０】
以上のように構成された誘導加熱調理機器について、図２および６を参照しながら動作、作用を説明する。図２は本発明の第５の実施の形態における誘導加熱調理器の操作部６の構成図であり、図６は本発明の第５の実施の形態における誘導加熱調理器の加熱出力パターン図である。
【００４１】
まず、使用者が被調理物を入れた鍋１をトッププレート２に載置し、操作部６で設定火力および２つ以上の加熱出力パターンのうちの１つのパターンを選択すると、制御手段５の命令によってインバータ４から加熱コイル３に高周波電流が供給され、設定された火力および加熱出力パターンで加熱を行う。
【００４２】
例えば、シチューを調理する場合、肉や野菜などの具材を炒めてから水を加え、材料がある程度やわらかくなるまで煮込み、ホワイトソースを加えてとろみがつくまでさらに加熱する。
【００４３】
このような調理の場合、肉や野菜を炒める工程では一定の火力を必要とし、続く煮込み工程では程良い対流を必要とし、ホワイトソースを加えてとろみをつける段階では焦げ付かせずに鍋内に対流を起こす必要があるが、加熱中に出力パターンを変更可能な構成とし、まず、図２に示す操作部６でメニューキー６ａから加熱モードを選択し、スタートキー６ｂで加熱を開始したのち、火力選択キー６ｃで任意の火力を選択し、加熱出力パターン選択キー６ｄでキー１１を選択して図６に示すような所定火力Ｐ５を連続的に出力させて肉と野菜を安定した一定火力で炒め、水を加えて沸騰したら、加熱出力パターン選択キー６ｄでキー１３を選択して所定時間Ｔ５の間インバータの出力をＰ６とし、所定時間Ｔ６の間インバータの出力をＰ６と異なるＰ７とし、それを周期的に繰り返す加熱出力パターンで鍋内に程良い対流を起こしながら材料がある程度やわらかくなるまで煮込み、ホワイトソースを加えてから、加熱出力パターン選択キー６ｄでキー１２を選択して所定時間Ｔ７の間インバータの出力をＰ８とし、所定時間Ｔ８の間インバータの出力をオフとし、それを周期的に繰り返す加熱出力パターンで鍋底が焦げ付かないように鍋内に適度な対流を起こしながらとろみがつくまでさらに加熱するなど、使用者は調理の工程に合わせて出来上がりの状態を見ながら適宜加熱出力パターンを変更しながら調理を行うことができる。
【００４４】
さらに、設定火力を変更したい場合は、火力選択キー６ｃで任意の火力を選択し、加熱出力パターン選択キー６ｄで適切な加熱出力パターンを選択しながら調理を行うことができる。
【００４５】
以上のように、本実施の形態においては、加熱中に出力パターンを変更可能な構成とすることで、各調理段階で異なる加熱出力パターンで調理したい場合に、火力をオフにして再度設定火力と加熱出力パターンを設定し直す必要がなく、スムーズに調理を行うことができるほか、他の設定火力へも変更可能な構成とすることで、より柔軟に好ましい出来映えの調理を行うことができる。
【００４６】
（実施の形態６）
図１は、本発明の第６の実施の形態における誘導加熱調理器の概略構成図を示すものであり、構成は実施の形態１〜５と同じである。
【００４７】
以上のように構成された誘導加熱調理機器について、図２〜４を参照しながら動作、作用を説明する。図２は本発明の第６の実施の形態における誘導加熱調理器の操作部６の構成図であり、図３〜４は本発明の第６の実施の形態における誘導加熱調理器の加熱出力パターン図である。
【００４８】
まず、使用者が被調理物を入れた鍋１をトッププレート２に載置し、操作部６で設定火力および２つ以上の加熱出力パターンのうちの１つのパターンを選択すると、制御手段５の命令によってインバータ４から加熱コイル３に高周波電流が供給され、設定された火力および加熱出力パターンで加熱を行う。
【００４９】
例えば、ホットケーキを焼く場合、表面に程よい焼き色を付け、ふっくらとした仕上がりにするためには、安定した一定火力が好ましいため、図２に示す操作部６でメニューキー６ａから加熱モードを選択し、スタートキー６ｂで加熱を開始したのち、火力選択キー６ｃで任意の火力を選択し、加熱出力パターン選択キー６ｄでキー１１を選択して図３に示すような所定火力Ｐ１を連続的に出力する加熱出力パターンで調理を行うことで、最適な出来映えに仕上げることができるが、もし、加熱出力パターンの選択を間違えて、加熱出力パターン選択キー６ｄでキー１２を選択して図４に示すような所定時間Ｔ１の間インバータの出力をＰ２とし、所定時間Ｔ２の間インバータの出力をオフとし、それを周期的に繰り返す加熱出力パターンで調理を行った場合、所定時間Ｔ１の間に高火力のＰ２が出力されることで図３の加熱出力パターンで調理する場合よりも早く焼き色がついてしまうことがあるが、使用者は焼き色を見ながら調理をすれば問題はなく、インバータの平均出力は図３、図４の場合とも同じであるので、出来映えを大きく損ねることはない。
【００５０】
以上のように、本実施の形態においては、同一の設定火力において、加熱出力パターンの種類に関わらず、インバータの平均出力を同じにする誘導加熱調理器としたものであり、これにより、使用者にとって設定火力ごとの出来映えがイメージしやすいというメリットがあるだけでなく、加熱出力パターンを選択し間違えた場合でも、出来映えを大きく損なうことがなく、安心して調理ができる。
【産業上の利用可能性】
【００５１】
以上のように、本発明にかかる誘導加熱調理器は、少なくとも１つの設定火力につき、連続的または周期的に繰り返す２つ以上の加熱出力パターンを有し、調理の種類に応じた加熱出力を選択できる構成とすることにより、調理メニューや仕上がりの好みに応じて最適な出来映えを実現することができるので、加熱調理器の用途に有効である。
【符号の説明】
【００５２】
１  鍋
２  トッププレート
３  加熱コイル
４  インバータ
５  制御手段
６  操作部
【図１】
0005696291.tif 000002
【図２】
0005696291.tif 000003
【図３】
0005696291.tif 000004
【図４】
0005696291.tif 000005
【図５】
0005696291.tif 000006
【図６】
0005696291.tif 000007